(57)【要約】【課題】認証ラベル付き非接触ＩＣ構成体及び読取認証装置において、非接触ＩＣ構成体を簡単且つ廉価とし、また、非接触ＩＣ構成体の偽造・変造防止を図ってセキュリティ性を向上することにある。【解決手段】基体に既設の窪部に非接触ＩＣモジュールを設け、非接触ＩＣモジュールを覆って封印するように認証ラベルを基体貼付して認証ラベル付き非接触ＩＣ構成体を構成し、認証ラベルの認証データを光学的に読み取るラベルデータ読取手段を設け、非接触ＩＣモジュールとの間で電磁波によりデータの送受信を行うデータ制御手段を設け、ラベルデータ読取手段で読み取られた認証ラベルの認証データが正規のデータであるか否かを認証可能な認証手段を設け、認証手段は、認証ラベルの認証データが正規のデータと認証した場合に、非接触ＩＣモジュールの個別データの読み取りを許可するように、データ制御手段に許可信号を出力している。【選択図】図１
2005242872.tif 000002
【特許請求の範囲】
【請求項１】
基体に既設された窪部に電磁波により個別データが記憶された非接触ＩＣモジュールを設け、この非接触ＩＣモジュールを覆って封印するように光学的に読み出し可能な認証データが記録された認証ラベルを前記基体に貼付して設けたことを特徴とする認証ラベル付き非接触ＩＣ構成体。
【請求項２】
前記認証ラベルは、脆質で再利用不可能な基材及び／又は剥離痕跡機能を有する基材からなり、前記非接触ＩＣモジュールを覆って封印するように前記基体に貼付されたことを特徴とする請求項１に記載の認証ラベル付き非接触ＩＣ構成体。
【請求項３】
カード基体に既設された窪部に電磁波により個別データが記憶された非接触ＩＣモジュールを設けるとともに、この非接触ＩＣモジュールを覆って封印するように光学的に読み出し可能な認証データが記録された認証ラベルを前記カード基体に貼付して認証ラベル付き非接触ＩＣカードを構成し、前記認証ラベルに記録された認証データを光学的に読み取るラベルデータ読取手段を設け、前記非接触ＩＣモジュールとの間で電磁波によりデータの送受信を行うデータ制御手段を設け、前記ラベルデータ読取手段で読み取られた前記認証ラベルの認証データが正規のデータであるか否かを認証可能な認証手段を設け、この認証手段は、前記認証ラベルの認証データが正規のデータと認証した場合に、前記非接触ＩＣモジュールに記憶された個別データの読み取りを許可するように、前記データ制御手段に許可信号を出力することを特徴とする認証ラベル付き非接触ＩＣカードの読取認証装置。
【発明の詳細な説明】
【技術分野】
【０００１】
この発明は、認証ラベル付き非接触ＩＣ構成体及び読取認証装置に係り、特に非接触ＩＣ構成体としての非接触ＩＣカード及びタグを簡単で且つ廉価にするとともに、セキュリティ性を向上する認証ラベル付き非接触ＩＣ構成体及び読取認証装置に関するものである。
【背景技術】
【０００２】
銀行のキャッシュカード等で使用される接触ＩＣ（集積回路）カードは、その形状がＩＳＯ規格で決められており、カード基体に所定位置で且つ所定形状で窪部を形成し、この窪部に接触ＩＣチップを嵌め込んで構成され、そして、使用時に、読取機のスロットに挿入されてこのスロット内の接点に接触ＩＣチップが直接的に接触することで、この接触ＩＣチップに記憶した個別データを読み出させている。
【０００３】
また、近年、商品等の管理には、簡易便利な非接触ＩＣモジュール（無線周波数ＩＤタグ（ｒａｄｉｏ−ｆｒｅｑｕｅｎｃｙ  ｉｄｅｎｔｉｆｉｃａｔｏｎ  ｔｕｇ））を備えた非接触ＩＣカードが用いられている。この非接触ＩＣカードは、非接触ＩＣモジュールに各種製品の情報の個別データを記憶し、電磁波（無線周波数：ｒａｄｉｏ−ｆｒｅｑｕｅｎｃｙ）によってデータ信号を読み取る読取機により、つまり、この読取機に対して非接触的に、その商品等の情報の記憶した個別データを読み出させている。
【０００４】
従来、非接触ＩＣカードには、ドア枠の内部にケーブル等で構成されたループコイル内を通過することにより、記録した情報の個別データを読み取らせるものがある。
【特許文献１】特開平１１−４１１５２号公報
【発明の開示】
【発明が解決しようとする課題】
【０００５】
ところで、従来、非接触ＩＣカードは、個別データを記憶した非接触ＩＣチップ及びこの非接触ＩＣチップをアクティブにするアンテナコイルを一体的にした極めて薄く構成した非接触ＩＣモジュールを、一側カード板と他側カード板との間に挟み込むとともに（インレット：Ｉｎｌｅｔ）、この一側カード板と他側カード板との周縁部位を接着して構成されている。
【０００６】
このため、非接触ＩＣカードの構造にあっては、非接触ＩＣモジュールが比較的大形であるとともに、この非接触ＩＣモジュールを挟み込む一側カード板及び他側カード板が必要になり、しかも、この一側カード板と他側カード板との周縁部位を接着する接着工程が必要となり、その構造が複雑になるとともに、材料費及び製作費が嵩んでコストが高くなってしまうという不都合があった。
【０００７】
また、非接触ＩＣカードにあっては、非接触ＩＣモジュールに記憶した各種情報の個別データが、アンテナ装置により電磁波で直接的に取り出されてしまうことから、セキュリティ性が低いという不都合があった。
【課題を解決するための手段】
【０００８】
この発明は、基体に既設された窪部に電磁波により個別データが記憶された非接触ＩＣモジュールを設け、この非接触ＩＣモジュールを覆って封印するように光学的に読み出し可能な認証データが記録された認証ラベルを前記基体に貼付して設けたことを特徴とする。
また、この発明は、カード基体に既設された窪部に電磁波により個別データが記憶された非接触ＩＣモジュールを設けるとともに、この非接触ＩＣモジュールを覆って封印するように光学的に読み出し可能な認証データが記録された認証ラベルを前記カード基体に貼付して認証ラベル付き非接触ＩＣカードを構成し、前記認証ラベルに記録された認証データを光学的に読み取るラベルデータ読取手段を設け、前記非接触ＩＣモジュールとの間で電磁波によりデータの送受信を行うデータ制御手段を設け、前記ラベルデータ読取手段で読み取られた前記認証ラベルの認証データが正規のデータであるか否かを認証可能な認証手段を設け、この認証手段は、前記認証ラベルの認証データが正規のデータと認証した場合に、前記非接触ＩＣモジュールに記憶された個別データの読み取りを許可するように、前記データ制御手段に許可信号を出力することを特徴とする。
【発明の効果】
【０００９】
この発明の認証ラベル付き非接触ＩＣ構成体は、基体に既設された窪部に電磁波により個別データが記憶された非接触ＩＣモジュールを設けるとともに、この非接触ＩＣモジュールを覆って封印するように光学的に読み出し可能な認証データが記録された認証ラベルを貼付して構成され、既設の窪部を有する基体を用いることから、非接触ＩＣ構成体の専用の基体の製作を不要とし、非接触ＩＣ構成体の構造が簡単になるとともに、材料費及び製作費を低くしてコストを低減することができる。
また、この発明の認証ラベル付き非接触ＩＣカードの読取認証装置は、先ず、認証ラベルに記録された認証データを読み取り、この認証データが正規のデータか否かを認証し、この認証データが正規のデータと認証した場合に、非接触ＩＣモジュールに記憶された個別データの読み取りを可能とするので、認証ラベルの改ざん等で、認証データが正規のデータでない場合には、非接触ＩＣモジュールに記憶された個別データを読み取らせないようにし、非接触ＩＣカードの偽造・変造防止を図ってセキュリティ性を向上することができる。
【発明を実施するための最良の形態】
【００１０】
この発明は、電磁波を利用する非接触ＩＣ構成体を簡単で且つ廉価にしたり、非接触ＩＣカードのセキュリティ性を向上する目的を、基体の既設の窪部に非接触ＩＣモジュールを設けるとともにこの非接触ＩＣモジュールを認証ラベルで覆って封印することで実現するものである。
以下、図面に基づいてこの発明の実施例を詳細且つ具体的に説明する。
【実施例１】
【００１１】
図１〜図５は、この発明の第１実施例を示すものである。
【００１２】
図１、図２において、２は認証ラベル付き非接触ＩＣカード（以下「非接触ＩＣカード」という）である。
【００１３】
この非接触ＩＣカード２は、非接触ＩＣ構成体の一つであり、基体であるカード基体４と、このカード基体４の一面に設置された非接触ＩＣモジュール（無線周波数ＩＤタグ（ｒａｄｉｏ−ｆｒｅｑｕｅｎｃｙ  ｉｄｅｎｔｉｆｉｃａｔｏｎ  ｔｕｇ））６と、この非接触ＩＣモジュール６を覆って封印する認証ラベル８とからなる。
【００１４】
カード基体４は、図１、図２に示す如く、通常の接触ＩＣチップを設置する既製のＩＳＯ規格で大量生産されているカード基体であり、接触ＩＣチップを嵌め込ませる窪部１０と、認証ラベル８を貼付させる所定高さの段差部１２と、窪部１０よりも大きな所定面域のラベル収容溝１４とを備えている。窪部１０は、ＩＳＯ規格により、カード基体４の一面側で、所定形状で且つ所定位置で既設されているものである。
【００１５】
非接触ＩＣモジュール６は、図３に示す如く、電磁波（無線周波数：ｒａｄｉｏ−ｆｒｅｑｕｅｎｃｙ）により、各種情報の個別データが記憶された非接触ＩＣチップ６Ａとこの非接触ＩＣチップ６Ａをアクティブにするアンテナコイル６Ｂとを備え、非接触的に、各種の情報の個別データを非接触ＩＣチップ６Ａに書き込んで記憶させるとともに、この記憶した個別データを読み出させるものであり、窪部１０に合致するように極小形状に形成され、この窪部１０に嵌め込んで設けられるものである。
【００１６】
認証ラベル８は、光学的に読み出し可能な認証データ（シリアルナンバー等）が記録されたものであり、例えば、図４（Ａ）に示す如く、表面で隠された認証データを備えて二可変するホログラムラベル８−Ａ、又は、図４（Ｂ）に示す如く、表面にバーコードが印刷されて病院等の施設で用いられるマイクロバーコードラベル８−Ｂ、あるいは、表面に絵文字が印刷された絵文字ラベル（図示せず）等であり、脆質で再利用不可能な基材及び／又は剥離痕跡機能を有する基材からなり、裏面が接着面であり、前記非接触ＩＣモジュール６を覆って封印するように裏面がカード基体４の段差部１２の上面に貼付され、且つ、ラベル収容溝１４に収容して設けられるものである。
【００１７】
なお、非接触ＩＣ構成体として、例えば、図５（Ａ）に示す如く、キーホルダＫを用いて、非接触ＩＣモジュール６及び認証ラベル８を設置したタグとしたり、また、図５（Ｂ）に示す如く、リストバンドＲを用いて、非接触ＩＣモジュール６及び認証ラベル８を設置したタグとすることも可能である。
【００１８】
次に、この第１実施例の作用を説明する。
【００１９】
非接触ＩＣカード２の製作においては、ＩＳＯ規格で製造された既製のカード基体４を準備し、そして、このカード基体４の既設の窪部１０に非接触ＩＣモジュール６を嵌め込むとともに、非接触ＩＣモジュール６を覆って封印するように、認証ラベル８の裏面をカード基体４の段差部１２の上面に貼付し、この認証ラベル８をラベル収容溝１４に収容する。
【００２０】
この結果、非接触ＩＣカード２においては、既製のカード基体４に既設された窪部１０に電磁波により個別データが記憶された非接触ＩＣモジュール６を設けるとともに、この非接触ＩＣモジュール６を覆って封印するように光学的に読み出し可能な認証データが記録された認証ラベル８を貼付して構成され、既設された窪部１０を有するカード基体６を用いることから、非接触ＩＣカード２の専用のカード基体を不要とし、非接触ＩＣカード２の構造が簡単になるとともに、材料費及び製作費を低くしてコストを低減することができる。また、非接触ＩＣモジュール６が極小に形成されているので、材料費及び製作費を低減することができる。
【００２１】
また、図４（Ｂ）に示す如く、認証ラベル８としてマイクロバーコードラベル８−Ｂを用いることにより、未だ完全に非接触ＩＣカードを備えていなく、非接触ＩＣカード化へ移行途中の病院等の施設においては、バーコードにより患者への投薬のチェックが可能となる。
【実施例２】
【００２２】
図６、図７は、この発明の第２実施例を示すものである。
【００２３】
以下の実施例においては、上述の第１実施例と同一機能を果たす箇所には、同一符号を付して説明する。
【００２４】
この第２実施例の特徴とするところは、非接触ＩＣカード２の読取認証装置１６を構成した点にある。
【００２５】
即ち、図６、図７に示す如く、非接触ＩＣカード２の読取認証装置１６においては、基台１８と、ラベルデータ読取手段である光学式のラベルデータ読取器（ビュアー）２０と、このラベルデータ読取器２０を基台１８に固定するアーム２２と、基台１８内でデータ処理装置２４とが設けられている。
【００２６】
基台１８には、ラベルデータ読取器２０の下方で且つ上面の中央部位のカード載置部１８Ｆの周辺に、非接触ＩＣモジュール６に対してデータをやり取りするように電磁波を発生するアンテナ部２６が設置されているとともに、内部のデータ処理装置２４として、非接触ＩＣモジュール８との間で電磁波によりデータを送受信を行うデータ制御手段（リーダ）２８と、ラベルデータ読取器２０で読み込まれた認証ラベル８の認証データが正規のデータであるか否かを認証する認証手段３０と、外部に対してデータをやり取りするデータ送受信手段３２とが設けられている。
【００２７】
ラベルデータ読取器２０は、光を当てて光学的に、認証ラベル８の表面の認証データを読み取るものであり、光学読取部２０Ａとラベルデータ送信部２０Ｂとを備え、このラベルデータ送信部２０Ｂが認証手段３０に接続し、この認証手段３０にそのデータの信号を送るものである。
【００２８】
認証手段３０は、認証ラベル８の表面の認証データと同じデータ（シリアルナンバー等）が記憶された記憶部（メモリ）３０Ａを備えるとともに、ラベルデータ読取器２０で読み込まれた認証ラベル８の認証データが正規のデータか否かを認証可能な判断部３０Ｂを備え、認証ラベル８の表面の認証データが正規のデータと認証した場合に、非接触ＩＣモジュール６の個別データの読み取りを許可するように、データ制御手段２８に許可信号を出力するものである。
【００２９】
データ制御手段２８は、認証手段３０に連絡し、ＣＰＵ（中央処理回路）２８Ａと読取部２８Ｂとを備えているとともに、アンテナ部２６に連絡した電波インタフェース２８Ｃを備え、非接触ＩＣモジュール６に対して個別データの読み出し及び外部からのデータを新たに記憶させるものである。
【００３０】
データ送受信手段３２は、データ制御手段２８からの指令信号により、非接触ＩＣモジュール６の個別データを外部に送信したり、非接触ＩＣモジュール６へのデータを外部から受信するものである。
【００３１】
また、基台１８には、コネクタ３４が設けられている。
【００３２】
次に、この第２実施例の作用を説明する。
【００３３】
非接触ＩＣカード２の読取認証装置１６においては、先ず、非接触ＩＣカード２を、認証ラベル８の存在する面が上方になるように、基台１８のカード載置部１８Ｆに設置し、そして、上方に配置したラベルデータ読取器２０からの光によって認証ラベル８の認証データを読み取る。
【００３４】
そして、この認証ラベル８の認証データの信号が認証手段３０に送られると、この認証手段３０は、この認証ラベル８の認証データが正規のデータか否かを判断し、この認証ラベル８の認証データを認証しない場合には、データ制御手段２８に許可信号を送らない。
【００３５】
認証手段３０が認証ラベル８の認証データを正規のデータと認証した場合には、この認証手段３０は、非接触ＩＣモジュール６の個別データの読み取りを許可するように、データ制御手段２８に許可信号を送る。
【００３６】
そして、このデータ制御手段２８は、認証手段３０から許可信号を入力すると、アンテナ部２６を励磁して磁界を生じさせる。そして、このアンテナ部２６の磁界が非接触ＩＣモジュール６のアンテナコイル６Ｂを励磁し、よって、非接触ＩＣチップ６Ａがアクティブになり、これにより、この非接触ＩＣチップ６Ａに記憶した個別データが電磁波を介してデータ制御手段２８に読み取られ、そして、このデータ制御手段２８は、この読み取った個別データの信号をデータ送受信手段３２に送り、その後、このデータ送受信手段３２は、その個別データの信号を外部に出力する。
【００３７】
また、データ制御手段２８は、データ送受信手段３２からの外部のデータの信号を入力すると、このデータの信号をアンテナ部２６を介して非接触ＩＣモジュール６の非接触ＩＣチップ６Ａに記憶させる。
【００３８】
この結果、非接触ＩＣカード２の認証装置１６においては、先ず、認証ラベル８に記録された認証データを読み取り、この認証データが正規のデータか否かを認証し、この認証データが正規のデータと認証した場合に、非接触ＩＣモジュール６に記憶された個別データの読み取りを可能とするので、認証ラベル８の改ざん等で、認証データが正規のデータでない場合には、非接触ＩＣモジュール６に記憶された個別データを読み取らせないようにし、非接触ＩＣカード２の偽造・変造防止を図ってセキュリティ性を向上することができる。
【００３９】
また、非接触ＩＣカード４の偽造・変造防止のために、暗証番号等の入力を不要とするので、その認証作業を簡単にすることができる。
【００４０】
更に、非接触ＩＣカード２の認証ラベル８が不正に剥離された場合に、この認証ラベル８が脆質で再利用不可能な基材及び／又は剥離痕跡機能を有する基材からなり、この認証ラベル８の再利用ができなくなることから（改ざん防止）、視覚的に非接触ＩＣカード２の偽造・変造防止を図ることができるとともに、ラベルデータ読取器２０が認証ラベル８の認証データを読み込むことができないことから、非接触ＩＣモジュール６の個別データの読み取りを不可能として、さらにセキュリティ性を向上することができる。
【００４１】
更にまた、光学的に認証データを認証する認証ラベル８と電磁波を用いて個別データを認識させる非接触ＩＣカード２とを設けたことにより、認証ラベル８と非接触ＩＣカード２とのいずれか一方しか備えていない場合にでも、データの認証に対して容易に対処させることができる。
【実施例３】
【００４２】
図８は、この発明の第３実施例を示すものである。
【００４３】
この第３実施例の特徴とするところは、以下の点にある。即ち、非接触ＩＣカード２の読取認証装置１６において、ラベルデータ読取器２０をカード載置部１８Ｆの位置で基台１８内に収容した。
【００４４】
この第３実施例の構成によれば、ラベルデータ読取器２０をカード載置部１８Ｆの位置で基台１８内に収容し、ラベルデータ読取器２０の上面に非接触ＩＣカード２の認証ラベル８を載置することで、認証ラベル８の認証データの認証と非接触ＩＣモジュール６からの個別データの読み取りとの双方を行わせることができ、システム全体の小型化を図るとともに、データの認証及び読み取りを簡便に行わせることができる。
【実施例４】
【００４５】
図９は、この発明の第４実施例を示すものである。
【００４６】
この第４実施例の特徴とするところは、非接触ＩＣカード２の読取認証装置１６において、手持ち操作可能な読取認証器３６を構成した点にある。
【００４７】
即ち、読取認証器３６は、読取部３８と把持部４０とからなる。読取部３８は、下部位に所定面域の開口４２が形成されているとともに、内部で下方に発光する発光部４４が配設され、上部位に覗き窓４６が形成され、また、開口４２の周辺にアンテナ部４８が配設されている。把持部４０には、発光部４４に連絡した認証操作ボタン５０が設けられている。
【００４８】
この４実施例の構成によれば、認証操作ボタン５０を操作すると、発光部４４が発光して開口４２からの光によって認証ラベル８の認証データを認証可能であるとともに、アンテナ部４８によって非接触ＩＣモジュール６の個別データが読み出されることから、認証データの認証と個別データの読み取りとの双方を、小型で手持ち式の読取認証器３６で行うことができ、簡便である。
【００４９】
なお、この発明においては、非接触ＩＣカード２の個別データを読み取るために、図１０に示す如く、非接触ＩＣカード２の個別データを読取機５２にかざして読み取らせたり、図１１に示す如く、読取機５４をかざして、名刺５６の非接触ＩＣモジュール５８の個別データを携帯電話６０のデータ部６２に読み取らせることも可能である。
【００５０】
また、データ制御手段２８にも認証ラベル８の認証データと同じデータ（シリアルナンバー等）を記憶させておき、認証手段３０からのデータ（シリアルナンバー等）の信号を入力した場合にのみ、非接触ＩＣモジュール６の個別データを読み取り可能とすることにより、さらにセキュリティ性を向上することができる。
【００５１】
更に、図４（Ａ）に示す如く、認証ラベルとしてのホログラムラベル８−Ａを金属物質とした場合に、磁性体を重合して設けることで、電磁波を適正とし、非接触ＩＣモジュール６の個別データを容易且つ確実に読み取らせることも可能である。
【産業上の利用可能性】
【００５２】
非接触ＩＣモジュールを認証ラベルで覆う構造を、他のセキュリティシステムにも適用することが可能である。
【図面の簡単な説明】
【００５３】
【図１】第１実施例において非接触ＩＣカードの平面図である。
【図２】第１実施例において図１のＩＩ−ＩＩ線による非接触ＩＣカードの一部拡大断面図である。
【図３】第１実施例において非接触ＩＣモジュールの斜視図である。
【図４】（Ａ）は、認証ラベルとしてのホログラムラベルの斜視図である。      （Ｂ）は、認証ラベルとしてのマイクロバーコードラベルの平面図である。
【図５】（Ａ）は、非接触ＩＣ構成体としてのキーホルダにタグを取り付けた平面図である。      （Ｂ）は、非接触ＩＣ構成体としてのリストバンドにタグを取り付けた斜視図である。
【図６】第１実施例において非接触ＩＣカードの読取認証装置の斜視図である。
【図７】第１実施例において非接触ＩＣカードの読取認証装置の概略ブロック図である。
【図８】第２実施例において非接触ＩＣカードの読取認証装置の斜視図である。
【図９】第３実施例において手持ち式の読取認証器の斜視図である。
【図１０】この発明の変形例であり、非接触ＩＣカードを読取機にかざした状態の斜視図である。
【図１１】この発明の他の変形例であり、名刺の個別データを携帯電話にかざして読みとる状態の斜視図である。
【符号の説明】
【００５４】
２  非接触ＩＣカード
４  カード基体
６  非接触ＩＣモジュール
８  認証ラベル
１０  窪部
１２  段差部
１４  ラベル収容溝
１６  非接触ＩＣカードの読取認証装置
２０  ラベルデータ読取器
２４  データ処理装置
２６  アンテナ部
２８  データ制御手段
３０  認証手段
３２  データ送受信手段
【図１】
2005242872.tif 000003
【図２】
2005242872.tif 000004
【図３】
2005242872.tif 000005
【図４】
2005242872.tif 000006
【図５】
2005242872.tif 000007
【図６】
2005242872.tif 000008
【図７】
2005242872.tif 000009
【図８】
2005242872.tif 000010
【図９】
2005242872.tif 000011
【図１０】
2005242872.tif 000012
【図１１】
2005242872.tif 000013